(57)【要約】  手持ち式、手誘導式の切断装置であって、回転する切断ホイール、サポートハウジング部（３６）、出力軸（４０）に回転可能に支持された出力シャフト（２０）、駆動源、前記駆動源を前記出力シャフト（２０）へ接続する伝達機構（１９）、フランジ（４１）そして、カバー領域（２５）で前記切断ホイールを覆うセーフティーガード（２４）を含んでいる。前記切断ホイールは前記フランジ（４１）によって前記出力シャフト（２０）に確実に取付けられて回転可能であり、また前記セーフティーガード（２４）によって囲まれている。前記セーフティーガード（２４）はピボット軸に枢動可能で、前記ピボット軸は前記出力シャフト（２０）の前記出力軸（４０）から所定距離をもって変位されている。【選択図】  図５
2019501782.tif 000002
【特許請求の範囲】
【請求項１】
手持ち式、手誘導式の切断装置（１０）であって、
サポートハウジング部（３６）と、
ホイール直径（Ｄ）を有する切断ホイール（１１）と、
ベアリング要素（４５）によって、前記サポートハウジング部（３６）の出力軸（４０）に回転可能に支持された、出力シャフト（２０）と、
駆動源（１７）と、前記出力シャフト（２０）へ前記駆動源（１７）を接続する伝達機構（１９）であって前記サポートハウジング部（３６）に配置されている前記伝達機構（１９）と、
フランジ直径（ｄf）を有しているフランジ（４１）と、前記フランジ（４１）によって確実に回転可能として前記出力シャフト（２０）に配置されている前記切断ホイール（１１）と、
前記切断ホイール（１１）を少なくとも部分的に覆うカバー領域（２５）及び前記切断ホイール（１１）を露出させる加工領域（２６）を有するセーフティーガード（２４）とを含み、前記セーフティーガード（２４）が前記ハウジング部（３６）のピボット軸（２７）に枢動可能に支持されている装置において、
前記セーフティーガード（２４）の前記ピボット軸（２７）が、前記出力シャフト（２０）の前記出力軸（４０）から距離（Δ）をもって変位されていることを特徴とする、切断装置。
【請求項２】
前記ピボット軸（２７）は前記出力軸（４０）に関して、前記セーフティーガード（２４）の前記カバー領域（２５）内へ変位されていることを特徴とする、請求項１に記載の切断装置。
【請求項３】
前記セーフティーガード（２４）が直径（ｄX）を有する締付けフランジ（４２）を含み、そして前記ピボット軸（２７）と前記出力軸（４０）との間の距離（Δ）は、前記締付けフランジ（４２）の前記直径（ｄX）と前記フランジ直径（ｄf）との間の差分の半分以上であることを特徴とする、請求項２に記載の切断装置。
【請求項４】
前記セーフティーガード（２４）、前記サポートハウジング部及び前記伝達機構（１９）は、アウトカット角（θ）において前記出力軸（４０）から、最大距離（ｂ1、ｂ2、ｂ3）を有しており、それらは前記フランジ直径（ｄf）の半分以下であることを特徴とする、請求項１から３のいずれか一つに記載の切断装置。
【請求項５】
前記伝達機構（１９）は、前記出力シャフト（２０）に配置された出力ディスク（３９）と、前記駆動源（１７）の動作を前記出力ディスク（３９）へ伝達する伝達要素（３８）を含み、前記アウトカット角（θ）において前記出力軸（４０）から、前記出力ディスク（３９）および前記伝達要素（３８）は最大距離（ｂ4、ｂ5）を有しており、それらが前記フランジ直径（ｄf）の半分以下であることを特徴とする、請求項４に記載の切断装置。
【請求項６】
前記伝達機構（１９）はカバー（１５）を含み、前記アウトカット角（θ）において前記出力軸（４０）から、前記カバー（１５）は最大距離（ｂ6）を有しており、それが前記フランジ直径（ｄf）の半分以下であることを特徴とする、請求項５に記載の切断装置。
【請求項７】
前記フランジ（４１）の前記フランジ直径（ｄf）は最小フランジ直径（ｄmin）に対応していることを特徴とする、請求項１から６のいずれか一つに記載の切断装置。
【請求項８】
前記駆動源（１７）は内燃機関とされ、前記切断ホイール（１１）はダイヤモンド切断ホイールまたは研磨切断ホイールとされていることを特徴とする、請求項７に記載の切断装置。
【請求項９】
前記駆動源（１７）は電気モータとされ、前記切断ホイール（１１）はダイヤモンド切断ホイールまたは結合、強化された切断ホイールとされることを特徴とする、請求項７に記載の切断装置。
【発明の詳細な説明】
【技術分野】
【０００１】
本発明は、請求項１の種類の定義に従っている、手持ち式、手誘導式の切断装置に関する。
【背景技術】
【０００２】
切断装置は手持ち式、手誘導式の電動工具であり、これは回転切断ホイールの形態に設計された加工手段を含むものである。切断装置の重要な構成には、前記回転切断ホイールに加えて、サポートハウジング部、出力軸に回転可能に支持された出力シャフト、駆動源、前記駆動源から前記出力シャフトまでを接続する伝達機構、フランジ、カバー領域で前記回転切断ホイールを覆うセーフティーガードを、含んでいる。前記回転切断ホイールは、前記フランジによって前記出力シャフトに確実に取付けられて回転可能であると共に、ピボット軸（枢軸）に枢動可能に保持された前記セーフティーガードにより囲まれている。前記セーフティーガードの前記ピボット軸は、前記回転切断ホイールの前記回転軸に対応している前記出力軸に同軸で配置されている。特許文献１はこのタイプの手持ち式、手誘導式の切断装置を開示している。
【先行技術文献】
【特許文献】
【０００３】
【特許文献１】独国特許  第１０  ２００５  ０４９  ７６６  Ｂ４号明細書
【発明の概要】
【発明が解決しようとする課題】
【０００４】
ヨーロッパ規格ＥＮ ＩＳＯ １９４３２：２０１２そしてアメリカ合衆国規格ＡＮＳＩ Ｂ１７５．４−２０１３は手持ち式、手誘導式の切断装置の構造的設計を検査することについての安全要求とその測定について定めている。この装置は一人で操作できるようにビルトインの内燃機関を含み、例えばアスファルト、コンクリート、石そして金属のような建築材料を切断するようにデザインされている。そして、結合研磨材料および/またはダイヤモンド或いはＣＢＮ研磨材料を有する研磨工具によって製造される切断ボディを有している回転切断ホイールを扱うように提供された切断装置に適用される。それはスピンドルシャフトを中心にして取り付けられ、それによって駆動され、回転する切断ホイールの前面はユーザから遠ざかる方向に向いている。この規格は、切断ホイールのタイプ及びホイール直径に基づいて、フランジに関して最小フランジ直径を規定している。切断ホイールのタイプに関し、ダイヤモンド切断ホイールと研磨切断ホイールとの間に区別が設けてあり、それは切断ホイールのホイール直径Ｄに関し、区別は４つの範囲（Ｄ≦２５０ｍｍ、２５０ｍｍ<Ｄ≦３００ｍｍ、３００ｍｍ<Ｄ≦３５０ｍｍ、そして３５０ｍｍ<Ｄ）の間に設定されている。前記ヨーロッパ規格ＥＮ ＩＳＯ １９４３２：２０１２は４００ｍｍの最大ホイール直径を有する切断ホイールに適用され、前記アメリカ合衆国規格ＡＮＳＩ Ｂ１１７５．４−２０１３は４０６ｍｍの最大ホイール直径を有する切断ホイールに適用される。
【０００５】
ヨーロッパ規格ＥＮ ＩＥＣ ６０７４５-２-２２：２０１１そしてアメリカ合衆国規格ＡＮＳＩ/ＵＬ ６０７４５-２-２２-２０１２は切断装置の形態の、手誘導式、モータ動作式の電力ツールに適用され、それは金属、コンクリート、石積み、ガラスそしてタイルのような材料を切断するホイール直径５５ｍｍから４１０ｍｍの回転切断ホイールを伴って提供される。この規格は、切断ホイールのホイール直径Ｄと孔直径φにより、フランジのための最小フランジ直径を規定する。切断ホイールのタイプに関して、ダイヤモンドの切断ホイールと、４１或いは４２タイプの結合、強化された切断ホイールとの間で区別がある。最小フランジ直径ｄminは、５５ｍｍ≦Ｄ≦４１０ｍｍのホイール直径Ｄを有するダイヤモンド切断ホイールについて、ｄmin＝０．１５*Ｄである。４１或いは４２タイプの結合、強化された切断ホイールに関しては、ホイール直径Ｄについての４つの範囲（５５ｍｍ≦Ｄ＜８０ｍｍ、８０ｍｍ≦Ｄ＜１０５ｍｍ、１０５ｍｍ≦Ｄ＜２３０ｍｍそして２３０ｍｍ≦Ｄ≦４１０ｍｍ）の間で区別があり、そして８０ｍｍ≦Ｄ＜１０５ｍｍであるホイール直径Ｄについて、１０ｍｍと１６ｍｍの孔直径φの間で区別がある。
【０００６】
切断ホイールにより達成し得るワークピース（加工製品）中での最大切込み深さは、切断ホイールのホイール直径とフランジの所定の最小フランジ直径との間の差分の半分により規定される。実際には、３００ｍｍと３５０ｍｍのホイール直径を有するダイヤモンド切断ホイールは、内燃機関を含んでいる切断装置において主に使用される。３００ｍｍのホイール直径を有するダイヤモンド切断ホイールにより達成し得る最大切込み深さは１２７．５ｍｍであり、３５０ｍｍのホイール直径を有するダイヤモンド切断ホイールにより達成し得る最大切込み深さは１４８．７５ｍｍである。
【０００７】
公知の切断装置により達成し得るワークピース中での実際の切込み深さは、前記ホイール直径と前記最小フランジ直径との間の差分の半分により規定され、所定の最大切込み深さよりも浅い。機器製造会社のスチール（Ｓｔｉｈｌ）社は、異なるガス駆動式の切断装置を提案し、とりわけ切断装置ＴＳ４００、ＴＳ４１０そしてＴＳ４２０を含んでいる。前記切断装置ＴＳ４００はダイヤモンド切断ホイールが適用され、３００ｍｍと３５０ｍｍによる異なるホイール直径で操作することができる。この製造会社の情報によると、３００ｍｍのホイール直径での切断装置ＴＳ４００により可能な切込み深さは１００ｍｍであり、この製造会社の情報によると３５０ｍｍのホイール直径での切断装置ＴＳ４００により可能な前記最大切込み深さは１２５ｍｍである。
前記切断装置ＴＳ４１０は３００ｍｍのホイール直径を有するダイヤモンド切断ホイールが適用され、そして、前記切断装置ＴＳ４２０は３５０ｍｍのホイール直径を有するダイヤモンド切断ホイールが適用されている。この製造会社の情報によると、切断装置ＴＳ４１０により可能な切込み深さは１００ｍｍであり、そして、この製造会社の情報によると、切断装置ＴＳ４２０により可能な前記最大切込み深さは１２５ｍｍである。
【０００８】
３００ｍｍのホイール直径で前記切断装置ＴＳ４００と前記切断装置ＴＳ４１０とにより可能な切込み深さは、１２７．５ｍｍの最大切込み深さよりも２０％少なく、そして３５０ｍｍのホイール直径で前記切断装置ＴＳ４００と前記切断装置ＴＳ４２０とにより可能な切込み深さは、１４８．７５ｍｍの最大切込み深さよりも１６％少ない。前記ＴＳ４００、ＴＳ４１０そしてＴＳ４２０研磨切断装置でスチール社が使用するフランジは少なくとも１０３ｍｍのフランジ直径を有している。３００ｍｍと３５０ｍｍとの異なるホイール直径で操作できる、前記切断装置ＴＳ４００において、少なくとも１０３ｍｍの同じフランジ直径がその異なるホイール直径について提供されている。使用されるフランジの直径は最小フランジ直径ｄminよりも極めて大きく、前記ヨーロッパ規格ＥＮ ＩＳＯ １９４３２：２０１２そしてアメリカ合衆国規格ＡＮＳＩ Ｂ１７５．４−２０１３は３００ｍｍ（ｄmin≧４５ｍｍ）のホイール直径と３５０ｍｍ（ｄmin≧５２．５ｍｍ）のホイール直径を有するダイヤモンド切断ホイールに要求している。この規格は、この規格の発行日或いはその後に製造された切断装置に適用され、そしてこの規格の発行日前に製造された切断装置には適用されない。この規格の以前のバージョンは、３００ｍｍと３５０ｍｍのホイール直径を有するダイヤモンド切断ホイールについて、４５ｍｍと５２．５ｍｍの同じ最小フランジ直径についても規定している。
【課題を解決するための手段】
【０００９】
本発明の目的は、以下のような手法で、手持ち式、手誘導式の切断装置を更に改良することであり、ワークピースでの切断ホイールによる可能な切込み深さは、公知の切断装置のものを超えて増加され、そして、好ましくは最大切込み深さが達成され、それは、切断ホイールのホイール直径とフランジの最小フランジ直径との間の差分の半分によって規定されるものである。
【００１０】
本発明によると、この目的は独立の請求項１の特徴点により最初に述べられている手持ち式、手誘導式の切断装置によって達成される。好都合な改良点は従属請求項において示される。
【００１１】
本発明によると、前記手持ち式、手誘導式の切断装置は、セーフティーガードのピボット軸が出力シャフトの出力軸から距離をもって変位されている（位置がずらされている）ことにより、特徴づけされている。ピボット軸に枢動可能となるようにセーフティーガードが設計されており、他のベアリング要素は前記セーフティーガードのピボット支持に関して要求がある。出力軸に関してのピボット軸の変位により、出力シャフトの領域において配置された切断装置の構成部は、それにより、利用できるスペースおよび切断の深さへ分配することができる。出力シャフトの領域に配置された構成部は、出力シャフト、セーフティーガード、サポートハウジング部そして伝達機構のためのベアリングを含んでいる。
【００１２】
切断ホイールによって達成できるワークピースでの切込み深さは、使用された切断ホイールのホイール直径と使用されたフランジのフランジ直径との間の差分の半分により特定され、この切込み深さは、切込み深さを付加的に制限する切断装置の構成部がない場合にだけ、達成される。セーフティーガードは、切断ホイールを覆うカバー領域およびワークピースを加工するための切断ホイールを露出する加工領域によって形成されている。前記構成部（セーフティーガード、サポートハウジング部そして伝達機構）を配列そして支持することができるレシーブ領域は、セーフティーガードの加工領域でフランジ直径を有しているフランジによって規定される。使用された切断ホイールのホイール直径と使用されたフランジのフランジ直径との間の差分の半分によって、前記切込み深さを達成できる場合、切断装置の全ての構成部は、制限された角度範囲で前記レシーブ領域へ移動されなければならない。
【００１３】
切断ホイールの前記切込み深さを増加させるため、好ましくはより小さいフランジ直径を有するフランジが使用される。小さいフランジ直径が選択されるほど、構成部を配列そして支持するための前記レシーブ領域が小さくなる。前記構成部の最適な配列は、好ましくは小さいフランジ直径が使用される場合、そのために特に重要である。前記セーフティーガードの支持は特に重要である。前記セーフティーガードは、セーフティーガードの側壁に接続された締付けフランジを含んでいる。その締付けフランジは、サポートハウジング部の適合しているカウンター輪郭に取付けられ、そして、前記カウンター輪郭に関して前記ピボット軸に調整可能に設計してある。セーフティーガードの前記ピボット軸が前記出力シャフトの前記出力軸と一致する場合、前記締付けフランジの直径は前記フランジ直径によって制限される。前記ピボット軸の前記変位によって、締付けフランジの前記直径は前記フランジ直径よりも大きく選択することができる。
【００１４】
前記セーフティーガードの前記ピボット軸は、前記セーフティーガードのカバー領域において、前記出力シャフトの前記出力軸について、特に好ましくは変位される。前記セーフティーガードは、前記切断ホイールをカバーしている前記カバー領域とワークピースを加工する切断ホイールを露出する加工領域によって構成されている。切断ホイールによって好ましい大きな切込み深さを達成するために、好ましくは小さいフランジ直径を有しているフランジが使用される。より小さいフランジ直径が選択されるほど、前記構成部（出力シャフトのベアリング、セーフティーガード、サポートハウジング部そして伝達機構）の配列そして支持のためのレシーブ領域が小さくなり、前記セーフティーガードの支持は特に重要となっている。前記締付けフランジの直径は、摩擦関係を介して調整可能であり枢動可能なするセーフティーガードの寸法と重さによって必然的に規定されて可変である。前記セーフティーガードの前記カバー領域内への前記ピボット軸の変位によって、前記締付けフランジの直径は使用されたフランジのフランジ直径よりも大きくすることを選択することができる。
【００１５】
前記セーフティーガードは特に好ましくは直径を有する締付けフランジを含み、そして前記ピボット軸と前記出力軸との間の距離は、前記締付けフランジの直径と前記フランジ直径との間の前記差分の半分以上である。前記締付けフランジは前記セーフティーガードのサブ構成部であり、前記セーフティーガードを介して枢動可能に設計されている。前記締付けフランジは前記サポートハウジング部の適合しているカウンター輪郭に取付けられ、そして、前記カウンター輪郭に関して前記ピボット軸について調節できるように設計されている。前記締付けフランジの直径は可変であり、前記セーフティーガードの寸法と重さにより必然的に規定される。仮に、前記ピボット軸と前記出力軸の前記距離が、前記締付けフランジの直径と前記フランジ直径との差分の半分以上となるように選択されると、アウトカット角における前記セーフティーガードの前記締付けフランジは、前記フランジ直径を有する前記フランジによって規定される前記レシーブ領域以内となる。
【００１６】
ひとつの好ましい詳細な実施形態において、前記セーフティーガード、前記サポートハウジング部そして前記伝達機構は、アウトカット角で前記出力軸から最大距離を有しており、それは前記フランジ直径の半分以下である。前記セーフティーガード、サポートハウジング部そして伝達機構として設計された、前記切断装置の構成部の外側境界は外側輪郭となる。そして、前記出力軸からの距離は、前記アウトカット角での前記出力軸からの前記外側輪郭の最大距離に対応する。そして、前記アウトカット角の外側、前記出力軸からの前記外側輪郭の距離は前記フランジ直径の半分以上である。前記アウトカット角での前記切断装置の構成部の前記外側輪郭が、前記出力軸からの距離が前記フランジ直径の半分以下となるように、設計されているという事実により、前記切込み深さは、前記ホイール直径と前記フランジ直径との間の差分の半分によって、規定される。前記ホイール直径と前記フランジ直径との間の差分の半分により規定される前記切込み深さは、前記アウトカット角で達成可能である。本発明による前記切断装置の切込み深さは、公知の切断装置と比較して前記アウトカット角において増加される。
【００１７】
前記伝達機構は好ましく、出力シャフトに配置された出力ディスクと前記出力ディスクへ前記駆動源の動作を伝達する伝達要素を含み、前記出力シャフトと前記伝達要素は前記アウトカット角において前記出力軸から最大距離を有しており、それはフランジ直径の半分以下となっている。前記伝達機構は、前記アウトカット角に位置している前記切断装置の構成部のひとつである。前記出力軸からの前記伝達機構の前記最大距離が、前記アウトカット角において前記最小フランジ直径の半分以下という条件は、前記伝達機構の全てのサブ構成部について一致されていなければならない。これらは、前記出力シャフトに配置された出力ディスクと、前記出力ディスクに配置された前記伝達要素を含んでいる。前記出力ディスクは前記出力軸から第４の最大距離を有している、そして前記伝達要素は前記出力軸から第５の最大距離を有している。
【００１８】
前記伝達機構は、好ましくはカバーを含み、このカバーは前記アウトカット角で前記出力軸から最大距離を有し、それは前記フランジ直径の半分以下である。前記出力ディスクとして設計された前記伝達機構のサブ構成部および前記伝達要素は回転している構成部であり、これらは安全要求を満たすように覆われなければならない。このカバーは前記出力軸から第６の最大距離を有している。
【００１９】
本発明による前記切断装置のひとつの好ましい改良例において、前記フランジのフランジ直径は最小フランジ直径に対応する。前記フランジ直径は、所定のフランジに関して、より低い制限値として特定され、適応可能な規格は最小フランジ直径として規定される。特に、前記最小フランジ直径は、駆動源のタイプ、切断ホイールのタイプ、そして切断ホイールのホイール直径によって決定される。使用されたフランジのフランジ直径が前記最小フランジ直径に対応する場合、前記最大切込み深さは切断ホイールで達成することができ、切断ホイールの最大切込み深さは前記切断ホイールのホイール直径と前記最小フランジ直径との間の差分の半分によって特定されている。本発明による切断装置は、公知の切断装置と比較して切込み深さが増加されるという長所を有し、これにより前記最大切込み深さが達成される。本発明による前記切断装置において、これが内燃機関とダイヤモンド切断ホイールを含むとき、切込み深さは３００ｍｍのホイール直径により達成され、一方で前記スチール社の前記切断装置ＴＳ４００そしてＴＳ４１０の様に、公知のガス駆動式の切断装置の場合、３５０ｍｍのホイール直径を有するダイヤモンド切断ホイールが要求される。
【００２０】
本発明による前記切断装置の好ましい第１の変形例において、前記駆動源は内燃機関として設計され、そして前記切断ホイールはダイヤモンド切断ホイール或いは研磨切断ホイールとして設計される。前記ヨーロッパ規格ＥＮ ＩＳＯ １９４３２：２０１２はヨーロッパにおいて、ガス駆動式の切断装置に適用され、そして前記アメリカ合衆国規格ＡＮＳＩ Ｂ１７５．４−２０１３は、アメリカ合衆国においてそれに適用される。類似するような規格がヨーロッパやアメリカ合衆国以外の国々や領域において適用されており、そして前記ヨーロッパ規格はヨーロッパの国々において国の規格で施行することができる。内燃機関とダイヤモンド切断ホイールを含む本発明による切断装置において、最小フランジ直径ｄminは、Ｄ≦２５０ｍｍについてｄmin＝３７．５ｍｍ、２５０ｍｍ<Ｄ≦３００ｍｍについてｄmin＝４５ｍｍ、３００ｍｍ<Ｄ≦３５０ｍｍについてｄmin＝５２．５ｍｍそして、３５０ｍｍ<Ｄについてｄmin＝６０ｍｍである。内燃機関や研磨切断ホイールを含む切断装置において、最小フランジ直径ｄminは：Ｄ≦２５０ｍｍについてｄmin＝６３．５ｍｍ、２５０ｍｍ<Ｄ≦３００ｍｍについてｄｍｉｎ＝７５ｍｍ、２５０ｍｍ<Ｄ≦３５０ｍｍについてｄmin＝８７．５ｍｍそして、３５０ｍｍ<Ｄについてｄmin＝１００ｍｍである。
【００２１】
内燃機関とダイヤモンド切断ホイールを含む本発明による切断装置は、２５０ｍｍのホイール直径で、１０６．２５ｍｍ（１／２*（２５０ｍｍ−３７．５ｍｍ））の最大切込み深さを、３００ｍｍのホイール直径で、１２７．５ｍｍ（１／２*（３００ｍｍ−４５ｍｍ））の最大切込み深さを、３５０ｍｍのホイール直径で、１４８．７５ｍｍ（１／２*（３５０ｍｍ−５２．５ｍｍ））の最大切込み深さを、そして、４００ｍｍのホイール直径で、１７０ｍｍ（１／２*（４００ｍｍ−６０ｍｍ））の最大切込み深さを、達成する。
内燃機関と研磨切断ホイールを含む本発明による研磨切断装置は、２５０ｍｍのホイール直径で、９３．２５ｍｍ（１／２*（２５０ｍｍ−６３．５ｍｍ））の最大切込み深さを、３００ｍｍのホイール直径で、１１２．５ｍｍ（１／２*（３００ｍｍ−７５ｍｍ））の最大切込み深さを、３５０ｍｍのホイール直径で、１３１．２５ｍｍ（１／２*（３５０ｍｍ−８７．５ｍｍ））の最大切込み深さを、そして、４００ｍｍのホイール直径で、１５０ｍｍ（１／２*（４００ｍｍ−１００ｍｍ））の最大切込み深さを、達成する。
【００２２】
本発明による前記切断装置の好ましい第２の変形例において、前記駆動源は電気モータとして設計され、そして前記切断ホイールはダイヤモンド切断ホイール或いは４１或いは４２タイプの結合、強化された切断ホイール（gebundene verstaerkte trennschleifscheibe）として設計される。前記ヨーロッパ規格ＥＮ ＩＥＣ ６０７４５-２-２２：２０１１はヨーロッパにおいて電気モータを含む切断装置に適用され、そして、アメリカ合衆国規格ＡＮＳＩ/ＵＬ ６０７４５-２-２２-２０１２はアメリカ合衆国においてそれに適用される。類似するような規格がヨーロッパやアメリカ合衆国以外の国々や領域において適用されており、そして前記ヨーロッパ規格はヨーロッパの国々において国の規格で施行することができる。電気モータとダイヤモンド切断ホイールを含む本発明による切断装置について、最小フランジ直径ｄminは、５５ｍｍ≦Ｄ≦４１０ｍｍについてｄmin＝０．１５*Ｄである。電気モータと４１或いは４２タイプの結合、強化された切断ホイールを含む本発明による切断装置について、最小フランジ直径ｄminは、５５ｍｍ≦Ｄ≦８０ｍｍでｄmin＝１９ｍｍであり、８０ｍｍ≦Ｄ<１０５ｍｍで孔直径φ＝１０ｍｍではｄmin＝１９ｍｍそして孔直径φ＝１６ｍｍではｄmin＝２８ｍｍであり、１０５ｍｍ≦Ｄ≦２３０ｍｍでｄmin＝４０ｍｍであり、そして、２３０ｍｍ<Ｄ≦４１０ｍｍでｄmin＝０．２５*Ｄである。
【００２３】
本発明の好適な実施形態例が図面に基づいて以下で説明される。図面は寸法に忠実な具体例を説明することを必ずしも意図しておらず、むしろ図面で示される図式的な、及び/または、わずかに歪曲された形が説明のために有効となる。形に関連する種々の改善や変更、また本発明の概念から外れることなく、実施例の細部が実施されるということについて考慮されるべきである。以下で示され、そして記述される実施例の精密な形や細部によって、本発明の概念は制限を受けることはなく、また請求項に記載された目的との比較において、本発明の概念における目的が制限されるということもない。所定の測定範囲において、所定制限内の数値は数値を制限して開示されたもので、任意に使用され、また主張されることができる。簡易化のため、同一あるいは類似の部分または同一あるいは類似の機能を有する部に、同じ参照番号が以下で使用されている。
【図面の簡単な説明】
【００２４】
【図１Ａ】切断ホイールを含む、手持ち式、手誘導式の切断装置について示している図である。
【図１Ｂ】切断ホイールを含む、手持ち式、手誘導式の切断装置について示している図である。
【図２Ａ】図１Ａ、１Ｂで示す切断装置のセーフティーガードと駆動ベルトについて示した図で、カバーがある場合について示している図である。
【図２Ｂ】図１Ａ、１Ｂで示す切断装置のセーフティーガードと駆動ベルトについて示した図で、カバーがない場合について示している図である。
【図３Ａ】図１Ａによる前記切断装置と切断装置のセーフティーガードを示し、側面を示している側面図である。
【図３Ｂ】図１Ａによる前記切断装置と切断装置のセーフティーガードを示し、Ａ−Ａ線に沿った第１の断面図である。
【図３Ｃ】図１Ａによる前記切断装置と切断装置のセーフティーガードを示し、Ｂ−Ｂ線に沿った第２の断面図である。
【図４】図３Ｃの第２の断面図を拡大し詳細を示した図である。
【図５】前セーフティーガードと駆動ベルトのサポートアームハウジング、アウトカット角での最大切込み深さに対応する切込み深さについて示している図である。
【発明を実施するための形態】
【００２５】
図１Ａと図１Ｂは、切断装置の形態に設計された、本発明による手持ち式、手誘導式の動力工具１０を示している。切断装置１０は切断ホイール１１として設計された加工手段を含み、切断ホイール１１は、回転軸１４について回転方向１３で駆動ユニット１２により駆動される。切断ホイール１１についての全ての駆動構成部は駆動ユニット１２として組付けされている。図１Ｂで示される切断装置１０では、駆動ユニット１２における少なくとも幾つかの構成部を視認できるようにするため、カバー１５が外されている。カバー１５はシングルパートまたはマルチパートによる設計とすることができ、ネジによって切断装置１０に締付けられている。
【００２６】
駆動ユニット１２は、モータハウジング１６に配置された駆動源１７、サポートアーム１８内に配置されてベルト駆動部１９として設計された伝達機構、そして切断ホイール１１が取付けられている出力シャフト２０を含んでいる。駆動源１７とベルト駆動部１９との間には必要により追加の伝達構成部を接続することができる。遠心クラッチを駆動源１７とベルト駆動部１９との間に配置することができ、遠心クラッチは切断装置１０のアイドリング時或いは始動時のような、低回転スピードでは切断ホイール１１を回転させないことを保証できる。前記遠心クラッチはクラッチベルトを含み、遠心力により、操作中、遠心荷重が外向きの圧力がクラッチベルトに作用する。駆動源１７は駆動軸２２回りに駆動シャフト２１を駆動させる。前記遠心クラッチのクラッチベルトは、駆動シャフト２１に回転可能に支持された駆動ディスク２３に確実に接続されて回転可能とされている。
【００２７】
内燃機関或いは電気モータが、切断装置１０のための駆動源１７として使用される。モータ作動の電動工具についての全ての駆動源は「電気モータ」として総称する。、前記電動工具は、ケーブルによって電力グリッドに直接接続されてもよいし、ワイヤレスにより直接接続されなくてもよい。内燃機関を含む切断装置は切断ホイール１１の異なるタイプで使用される（すなわち、ダイヤモンド切断ホイールと研磨切断ホイール）。ここで、前記切断ホイールは、固めた研磨材料により製造された切断ボディ及び／又はダイヤモンドとＣＢＮ研磨材料とを有する研磨手段を含んでいる。電気モータを含む切断装置は、異なるタイプの切断ホイール１１としてダイヤモンド切断ホイールそして４１或いは４２タイプの結合、強化された切断ホイールを使用することができる。
【００２８】
切断ホイール１１はセーフティーガード２４によって囲われており、作業者を舞い上がる塵片から守るため、また切断装置１０の操作中に作業者が切断ホイール１１に巻込まれて怪我をするリスクを低減するために、セーフティーガード２４が使用される。セーフティーガード２４は切断ホイール１１のハブ領域に取付けられており、そして約２００°のカバー角で切断ホイール１１を覆うカバー領域２５と、ワークピースを加工するため１６０°の加工角で切断ホイール１１が露出している加工領域２６とにより構成されている。セーフティーガード２４は枢動可能に設計され、所望のピボット位置のピボット軸２７（図２Ａ，２Ｂ）で枢動される。前記ピボット位置のセットのため、把持要素２８がセーフティーガード２４に固定されており、セーフティーガード２４はピボット軸２７で枢動するために必要な力を適用できるようになっている。
【００２９】
操作ユニット３２を有すると共に上部ハンドルとして設計されている、第１ハンドル３１が切断装置１０の操作用に設けられている。モータハウジング１６の上方に配置されているハンドルが、上部ハンドルである。代替として、前記第１ハンドルは、切断ホイール１１から離れて対面しているモータハウジング１６の側部に配置されており、後部ハンドルとして設計することができる。第１ハンドル３１に加えて、第２ハンドル３３が切断ホイール１１と第１ハンドル３１との間に配置され、切断装置１０を誘導するために設けられている。好適な実施形態例を示す図１Ａ、１Ｂにおいて、第２ハンドル３３はセパレートグリップチューブとして設計され、或いは、その代わりに、モータハウジング１６に付属の一片部また他のハウジング部として設計されてもよい。
【００３０】
図２Ａ、２Ｂは、図１Ａ、１Ｂにおける切断装置１０のセーフティーガード２４とベルト駆動部１９を拡大表示して示している。ベルト駆動部１９は、固定されたサポートハウジング部３６そしてカバー１５を含んで、サポートアームハウジング３５内に配置されている。図２Ａはカバー１５が取付けられたときのベルト駆動部１９、図２Ｂはカバー１５を除いたベルト駆動部１９を示している。
【００３１】
切断ホイール１１の駆動は、駆動源１７、ベルト駆動部１９そして出力シャフト２０を介して、行われる。駆動源１７は内燃機関或いは電気モータとして設計することができる。駆動源１７は駆動シャフト２１を駆動し、駆動軸２２回りに駆動ディスク２３を駆動する。駆動ベルトとして設計された伝達要素３８は、駆動ディスク２３と出力シャフト２０に支持されている出力ディスク３９を介してガイドされる。出力シャフト２０は出力軸４０回りに回転可能であり、出力軸４０は切断ホイール１１の回転軸１４と一致している。駆動ディスク２３、駆動ベルト３８、そして出力ディスク３９はベルト駆動部１９を形成する。これにかえて、伝達機構１９は例えばチェーン駆動の形式に設計することができ、この場合には、駆動ディスク２３と出力ディスク３９の間の伝達要素をチェーンとして設計することができる。切断ホイール１１はフランジ４１によって出力シャフト２０に配置されており、出力シャフト２０に確実に接続されて回転可能である。フランジ４１と切断ホイール１１は出力シャフト２０に取付けられ、切断ホイール１１はフランジ４１の２つのフランジ半体の間に配置されている。
【００３２】
ワークピースは、セーフティーガード２４の加工領域で切断ホイール１１が位置した領域で、切断装置１０によって加工される。セーフティーガード２４は切断ホイール１１のハブ領域に締付けフランジ４２を含み、好適な実施形態において、それはセーフティーガード２４の側壁４３についての一片部として設計されている。これにかえて、前記締付けフランジは分離した部分として、そしてセーフティーガード２４に接続されるように設計してもよい。締付けフランジ４２は固定されたサポートハウジング部３６の適合しているカウンター輪郭４４に取付られ、ハウジング部３６のカウンター輪郭４４に関して調整可能に設計されている。セーフティーガード２４は、前ピボット位置と後ピボット位置との間でピボット軸２７に枢動可能となるように設計されている。セーフティーガード２４の枢動範囲は、約６０°の角度範囲に制限されている。
【００３３】
図３Ａ〜３Ｃは、図１Ａによる、切断ホイール１１及び切断装置１０のセーフティーガード２４の拡大図を示している。図３Ａは切断ホイール１１とセーフティーガード２４との配置を側面図で示している。図３Ｂは図３ＡのＡ−Ａ線に沿った断面の断面図を示している。そして、図３Ｃは図３ＡのＢ−Ｂ線に沿った断面の断面図を示している。
切断ホイール１１はフランジ４１によって出力シャフト２０に締付けられており、回転軸１４に回転可能に設計されている。駆動源の動作は、駆動ベルト３８そして出力シャフト２０に確実に支持されて回転可能である出力ディスク３９を介して、出力シャフト２０へ伝達される。
【００３４】
セーフティーガード２４は、切断ホイール１１を覆うカバー領域２５、そしてワークピースを加工するための切断ホイール１１を露出させている加工領域２６によって構成されている。３６０°の切断ホイールの全角度は、セーフティーガード２４によって、カバー角と加工角とに分割される。セーフティーガード２４のカバー領域２５は前記カバー角を決定し、セーフティーガード２４の加工領域２６は前記加工角を決定する。好適な実施形態例では、前記カバー角は約２００°であり、前記加工角は約１６０°である。
【００３５】
出力シャフト２０は、ベアリング要素４５を介して、固定されたサポートハウジング部３６に支持されている。セーフティーガード２４は固定されたサポートハウジング部３６に固定されている。セーフティーガード２４の締付けフランジ４２はハウジング部３６のカウンター輪郭４４に取付けられおり、固定されたサポートハウジング部３６に関連しているピボット軸２７について枢動可能となるように設計されている。セーフティーガード２４の枢動動作を容易にするため、締付けフランジ４２とカウンター輪郭４４との間に滑り要素４６が配設されている。これは摩擦を減らすもので、例えばテフロン（登録商標）リングとして設計される。
【００３６】
図３Ｃは、出力シャフト２０の出力軸４０とは異なっている、セーフティーガード２４のピボット軸２７を示している。ピボット軸２７は、セーフティーガード２４のカバー領域２５内へ、出力軸４０に対して変位されている。好適な実施形態では、ピボット軸２７と出力軸４０との間の距離Δは、出力シャフト２０の直径ｄの半分よりも大きい。
【００３７】
図４は、図３Ｃで図示された図３ＡでのＢ−Ｂ線に沿った第２の断面図について拡大した詳細部を示している。この詳細部は出力シャフト２０と、切断ホイール１１を出力シャフト２０に固定するためのフランジ４１を示している。
【００３８】
フランジ４１は複数部による構成であり、第１フランジ部５１、第２フランジ部５２そして工具ネジ５３を含んでいる。切断ホイール１１を組付けするため、第１フランジ部５１が出力シャフト２０に取付け或いはネジ止めされ、切断ホイール１１が第１フランジ部５１に取付けされ、そして、第２フランジ部５２が取付けされる。切断ホイール１１は、によって、第１、第２のフランジ部５１、５２の間で挟持される。
【００３９】
ガス駆動式の切断装置に関して、前記ヨーロッパ規格ＥＮ ＩＳＯ １９４３２：２０１２、前記アメリカ合衆国規格ＡＮＳＩ Ｂ１７５．４−２０１３、そして対応する規格が他の国々で、フランジ４１についての最小フランジ直径ｄminを規定しており、切断ホイール１１のタイプ（ダイヤモンド切断ホイール或いは研磨切断ホイール）に依存しており、また切断ホイール１１のホイール直径Ｄ（Ｄ≦２５０ｍｍ、２５０ｍｍ<Ｄ≦３００ｍｍ、３００ｍｍ<Ｄ≦３５０ｍｍそして３５０ｍｍ<Ｄ）に依存している。ダイヤモンド切断ホイールに関して、最小フランジ直径ｄminは、Ｄ≦２５０ｍｍについてｄmin＝３７．５ｍｍ、２５０ｍｍ<Ｄ≦３００ｍｍについてｄmin＝４５ｍｍ、３００ｍｍ<Ｄ≦３５０ｍｍについてｄmin＝５２．５ｍｍそして、３５０ｍｍ<Ｄについてｄmin＝６０ｍｍである。研磨切断ホイールに関して、最小フランジ直径ｄminは：Ｄ≦２５０ｍｍについてｄmin＝６３．５ｍｍ、２５０ｍｍ<Ｄ≦３００ｍｍについてｄmin＝７５ｍｍ、３００ｍｍ<Ｄ≦３５０ｍｍについてｄmin＝８７．５ｍｍそして、３５０ｍｍ<Ｄについてｄmin＝１００ｍｍである。
【００４０】
切断ホイール１１により達成できるワークピースにおける最大切込み深さｔmaxは、フランジ４１のフランジ直径ｄfが最小フランジ直径ｄminに対応し、更に切込み深さを付加的に制限する切断装置１０の構成要素がない場合に、達成される、最大切込み深さｔmaxは切断ホイール１１のホイール直径Ｄとフランジ４１の最小フランジ直径ｄminとの間の差分の半分で規定され、ｔmax＝１／２＊（Ｄ−ｄmin）である。ガス駆動式の切断装置１０とダイヤモンド切断ホイールについて、最大切込み深さｔmaxは、Ｄ＝２５０ｍｍでｔmax＝１０６．２５ｍｍ、Ｄ＝３００ｍｍでｔmax＝１２７．５ｍｍ、Ｄ＝３５０ｍｍでｔmax＝１４８．７５ｍｍそしてＤ＝４００ｍｍでｔmax＝１７０ｍｍである。ガス駆動式の切断装置１０と研磨切断ホイールについて、最大切込み深さｔmaxは、Ｄ＝２５０ｍｍでｔmax＝９３．２５ｍｍ、Ｄ＝３００ｍｍでｔmax＝１１２．５ｍｍ、Ｄ＝３５０ｍｍでｔmax＝１３１．２５ｍｍそしてＤ＝４００ｍｍでｔmax＝１５０ｍｍである。
【００４１】
フランジ４１のフランジ直径ｄfに加えて、切断ホイール１１の切込み深さｔは、セーフティーガード２４の加工領域２６で切断装置１０の構成の外側輪郭によって規定される。前記外側輪郭は、セーフティーガード２４の第１外側輪郭５４、サポートハウジング部３６の第２外側輪郭５５そしてベルト駆動部１９の第３外側輪郭５６を含む。外側輪郭５４、５５、５６は、出力軸４０からのそれらの最大距離ｂがアウトカット角θで最小フランジ直径ｄminの半分以下であるようにして設計されている。セーフティーガード２４の第１外側輪郭５４は、アウトカット角において出力軸４０から第１の最大距離ｂ1を有している。サポートハウジング部３６の第２外側輪郭５５は、アウトカット角において出力軸４０から第２の最大距離ｂ2を有している。そして、ベルト駆動部１９の第３外側輪郭５６は、アウトカット角において出力軸４０から第３の最大距離ｂ3を有している。アウトカット角θにおける出力軸４０からの外側輪郭の最大距離は、構成の最大距離ｂとして規定される。
【００４２】
出力軸４０からのベルト駆動部１９の最大距離ｂ3が最小フランジ直径ｄminの半分以下であるという条件は、アウトカット角θでベルト駆動部１９の全てのサブ構成部に適用しなければならない。ベルト駆動部１９は、出力シャフト２０の前記領域において出力ディスク３９、駆動ベルト３８そしてカバー１５によって形成されている。出力ディスク３９は、アウトカット角θで出力軸４０から第４の最大距離ｂ4を有している。駆動ベルト３８は、アウトカット角θで出力軸４０から第５の最大距離ｂ5を有している。そして、カバー１５は、アウトカット角θで出力軸４０から第６の最大距離ｂ6を有している。
【００４３】
駆動ベルト３８が出力ディスク３９に配置されているので、好ましい実施の形態では、出力ディスク３９は駆動ベルト３８から突出させず、前記アウトカット角で出力軸４０からの出力ディスク３９の第４の最大距離ｂ4は駆動ベルト３８の第５の最大距離ｂ5よりも小さい。アウトカット角θで前記最大距離が最小フランジ直径ｄminの半分以下であるという条件が、駆動ベルト３８に適合するならば、その条件は出力ディスク３９にも同様に適合する。出力ディスク３９及び駆動ベルト３８の適宜の設計において、アウトカット角θについて前記最大距離が最小フランジ直径ｄminの半分以下であるという条件は、出力ディスク３９と駆動ベルト３８に適合されなければならない。
【００４４】
カバー１５はベルト駆動部１９を覆うという機能を果たし、そしてそれは出力シャフト２０の領域において出力ディスク３９と駆動ベルト３８を覆う。好適は実施形態においては、出力ディスク３９と駆動ベルト３８はカバー１５によって完全に覆われる。アウトカット角θで前記最大距離が最小フランジ直径ｄminの半分以下であるという条件は、カバー１５に適合される場合、その条件は出力ディスク３９と駆動ベルト３８に同様に適合される。好適には実施形態においては、出力軸４０からのベルト駆動部１９の第３の最大距離ｂ3は出力軸４０からのカバー１５の第６の最大距離ｂ6に対応している。出力ディスク３９、駆動ベルト３８そしてカバー１５の適宜の設計において、アウトカット角での前記最大距離が最小フランジ直径ｄminの半分以下という条件は、カバー１５、出力ディスク３９そして駆動ベルト３８に適合されなければならない。
【００４５】
図５は、図３Ａでのセーフティーガードのピボット位置に対応しているピボット位置において、切断ホイール１１を除いて、切断装置１０のセーフティーガード２４を示している。セーフティーガード２４は、固定されたサポートハウジング部３６の締付けフランジ４２によってピボット軸２７に枢動可能に支持されている。締付けフランジ４２は環形状で直径ｄxを有している。締付けフランジ４２の直径ｄxは、セーフティーガード２４の寸法と重さにより必然的に規定されて可変である。
【００４６】
セーフティーガード２４のピボット軸２７は、出力シャフト２０の出力軸４０とは異なっている。ピボット軸２７は、セーフティーガード２４のカバー領域２５において、出力軸４０に対してずらされている。３６０°の切断ホイール１１の全角度は、セーフティーガード２４によってカバー角と加工角とに分割され、前記カバー角は約２００°とされ、前記加工角は約１６０°とされている。アウトカット角θは切断ホイール１１の前記加工角内に配置されており、好適には、約７０°である。
【００４７】
アウトカット角θにおけるセーフティーガード２４の支持は、制限されたレシーブ領域により、特に重要である。セーフティーガード２４は、サポートハウジング部３６のカウンター輪郭４４に取付けられた、締付けフランジ４２を含んでいる。仮に、セーフティーガード２４のピボット軸２７が出力シャフト２０の出力軸４０に一致する場合、締付けフランジの直径ｄxはフランジ直径ｄfによって制限される。選択される前記フランジ直径ｄfが小さくなるほど、構成部を配置、支持するためのレシーブ領域が小さくなる。仮に、フランジ４１のフランジ直径ｄfが最小フランジ直径ｄminに対応する場合、最小のレシーブ領域は構成部を配置、支持するために有効である。
【００４８】
セーフティーガード２４のカバー領域２５へのピボット軸２７の変位によって、締付けフランジ４２の直径ｄxは、使用されたフランジ４１のフランジ直径ｄfより大きくすることを選択することができる。ピボット軸２７と出力軸４０の間の距離Δは、締付けフランジ４２の直径ｄXとフランジ直径ｄfの間の差分の半分以上となるように選択される。この場合、セーフティーガード２４の締付けフランジ４２は前記レシーブ領域に配置され、それはフランジ直径ｄfによって規定される。
【図１Ａ】
2019501782.tif 000003
【図１Ｂ】
2019501782.tif 000004
【図２Ａ】
2019501782.tif 000005
【図２Ｂ】
2019501782.tif 000006
【図３Ａ】
2019501782.tif 000007
【図３Ｂ】
2019501782.tif 000008
【図３Ｃ】
2019501782.tif 000009
【図４】
2019501782.tif 000010
【図５】
2019501782.tif 000011
【手続補正書】
【提出日】平成30年7月12日(2018.7.12)
【手続補正１】
【補正対象書類名】特許請求の範囲
【補正対象項目名】請求項４
【補正方法】変更
【補正の内容】
【請求項４】
アウトカット角（θ）において前記出力軸（４０）から、前記セーフティーガード（２４）は第１の最大距離（ｂ1）を有し、前記サポートハウジング部は第２の最大距離（ｂ2）を有し及び前記伝達機構（１９）は第３の最大距離（ｂ3）を有しており、前記第１から第３の最大距離（ｂ1、ｂ2、ｂ3）は前記フランジ直径（ｄf）の半分以下であることを特徴とする、請求項１から３のいずれか一つに記載の切断装置。
【手続補正２】
【補正対象書類名】特許請求の範囲
【補正対象項目名】請求項５
【補正方法】変更
【補正の内容】
【請求項５】
前記伝達機構（１９）は、前記出力シャフト（２０）に配置された出力ディスク（３９）と、前記駆動源（１７）の動作を前記出力ディスク（３９）へ伝達する伝達要素（３８）を含み、前記アウトカット角（θ）において前記出力軸（４０）から、前記出力ディスク（３９）は第４の最大距離（ｂ4）を有し及び前記伝達要素（３８）は第５の最大距離（ｂ5）を有しており、前記第４および第５の最大距離（ｂ4、ｂ5）は前記フランジ直径（ｄf）の半分以下であることを特徴とする、請求項４に記載の切断装置。
【手続補正３】
【補正対象書類名】特許請求の範囲
【補正対象項目名】請求項６
【補正方法】変更
【補正の内容】
【請求項６】
前記伝達機構（１９）はカバー（１５）を含み、前記アウトカット角（θ）において前記出力軸（４０）から、前記カバー（１５）は第６の最大距離（ｂ6）を有しており、前記第６の最大距離（ｂ6）は前記フランジ直径（ｄf）の半分以下であることを特徴とする、請求項５に記載の切断装置。
【国際調査報告】
2019501782.tif 000012
2019501782.tif 000013
2019501782.tif 000014
2019501782.tif 000015
2019501782.tif 000016
2019501782.tif 000017